(57)【要約】【課題】この発明の目的は、床面等を清掃する清掃体を容易に取付け可能とした回転清掃体、およびこれを用いた電気掃除機の吸込口体を提供する。【解決手段】外周面から中心部に向かう多数の貫通孔を有する筒状の回転体と、この回転体の複数の前記貫通孔に嵌合する複数の突出部を一方面に有する基台およびこの基台の他方面に有し外方に向かって一定の高さに伸びた清掃部を設けた清掃体とを備え、前記基台の複数の前記突出部を選択された複数の前記貫通孔に嵌合することにより前記回転体に前記清掃体を取付けた回転清掃体である。【選択図】      図９
2005046229.tif 000002
【特許請求の範囲】
【請求項１】
外周面から中心部に向かう多数の貫通孔を有する筒状の回転体と、この回転体の複数の前記貫通孔に嵌合する複数の突出部を一方面に有する基台およびこの基台の他方面に有し外方に向かって一定の高さに伸びた清掃部を設けた清掃体とを備え、前記基台の複数の前記突出部を選択された複数の前記貫通孔に嵌合することにより前記回転体に前記清掃体を取付けたことを特徴とする回転清掃体。
【請求項２】
清掃体を複数個に切り離し可能な材料で形成し、この切り離した清掃体のそれぞれに有する突出部を回転体の選択された位置にある貫通孔に嵌合して、複数の清掃体のそれぞれを回転体の選択された位置に取付けたことを特徴とする請求項１に記載の回転清掃体。
【請求項３】
被清掃面の空気を吸引する吸込口および吸引された空気の流出口を有するケース体と、このケース体に備えた駆動源により回転され前記吸込口に面して取付けられた筒状の回転体と、この回転体の外周面からその中心部に向って多数設けられた貫通孔と、この貫通孔にそれぞれ嵌合する多数の突出部ならびにこの突出部の周囲に一体的に位置して前記回転体の外周面に当接する係止部を備えた基台と、この基台に固定され外方に向かってほぼ一定の高さに伸びた清掃部とを備えたことを特徴とする電機掃除機の吸込口体。
【発明の詳細な説明】
【０００１】
【発明の属する技術分野】
この発明は、床面等の被清掃面をブラシ等で清掃するための回転清掃体、およびこれを取付けることにより被清掃面を清掃するとともに、塵埃を空気とともに吸込んで掃除機本体の集塵室に収容するための電気掃除機の吸込口体に関する。
【０００２】
【従来の技術】
従来の電動掃除機などに使用される吸込口体には、床面等の被清掃面に浮遊している塵埃を空気と一緒に吸引するとともに、畳の編み目や絨毯の毛間に挟まった塵埃等を掻き揚げて吸取ったりするものが存在する。この吸込口体は、その外周にブレードやブラシを設けられた回転清掃体が取付けられ、これらにより塵埃を掻き揚げるようになっているものが多い。
【０００３】
例えば、図１４に示すように、複数列のブレード１０４やブラシ１０４を表面に突出させて固着または植設された織布等からなる基布１０３を、円柱状をしたロータ１０２の外周面に巻き付けて接着剤等により固定した電気掃除機用吸込口体の回転清掃体１００がある。（例えば、特許文献１参照）
【０００４】
また、図１５のように、円柱状のロータ１０５の外周に螺旋状の溝１０６を複数列にして設け、ロータ１０５の側方１０７からそれぞれの溝１０６に沿って各々ブレード１０８を挿入して取り付けた回転清掃体１１０がある。（例えば、特許文献２参照）
【０００５】
また、これら以外の従来例としては、ロータを軸方向に沿って分割した２枚の分割片とし、これらの分割片を互いに一体的に組み合わせたときに両者間の接合部に螺旋状の隙間ができるようにして、この隙間にブラシ毛を有するブラシ台を挟持させることにより固定して回転清掃体を構成したものがある。（例えば、特許文献３参照）
【０００６】
このように、ロータの外周にブラシ等を有する基布を接着剤で固定する従来例の構成においては、ロータの回転軸に対するブレードの取付け角度は調整可能であるものの、接着剤による処理や基布の端部の処理が困難であった。また、他の従来例のように、ロータに設けた螺旋状の溝や隙間に、直線的な形状に形成されているブレードやブラシ台を捩じれた状態で取付けた場合には、その回転中心からずれたり重量バランスが悪くなっていた。さらに、ブレードやブラシ台をロータに取付けるときに、螺旋状の捩じれ角度を選択して取付けることは不可能であった。
【０００７】
【特許文献１】
特開２００２−３３０９０４号公報（第２頁、図１）
【特許文献２】
特開平７−１７８０１６号公報（第３頁、図４）
【特許文献３】
特開平７−２３８８４号公報（第４頁、図１）
【０００８】
【発明が解決しようとする課題】
この発明は、このような欠点に鑑みなされたもので、組み立てが容易で基台に対する清掃体の取付け位置を選択できる回転清掃体、およびこれを用いた電気掃除機の吸込口体を提供することにある。
【０００９】
【課題を解決するための手段】
上記目的を達成するために、外周面から中心部に向かう多数の貫通孔を有する筒状の回転体と、この回転体の複数の前記貫通孔に嵌合する複数の突出部を一方面に有する基台およびこの基台の他方面に有し外方に向かって一定の高さに伸びた清掃部を設けた清掃体とを備え、前記基台の複数の前記突出部を選択された複数の前記貫通孔に嵌合することにより前記回転体に前記清掃体を取付けたことを特徴とする回転清掃体としたものである。
【００１０】
【発明の実施の形態】
以下、この発明の実施形態を図１から図１３を参照して説明する。これらは、この発明を実施した１形態の回転清掃体、およびこれを使用した電気掃除機の吸込口体を示すものであるが、これによってこの発明が限定されるものではない。
【００１１】
図１および図２は、この発明の１つの実施形態に係る回転清掃体１を、電気掃除機の吸込口体２に取付けた状態を示すものである。この吸込口体２は、主要部が上ケース３と下ケース４とによって覆われ、図示しない掃除機本体に吸込ホースを介して連通される延長管に接続管５が嵌合するようになっている。回転清掃体１は、床面等の被清掃面に近接する下ケース４の下面に開口した吸込口６に位置するように、その両端が下ケース４に回転自在に支持され、駆動源であるモータ７の駆動力によりタイミングベルト８を介して回転される。この駆動力は、モータ７の代替手段として取付けられ吸引した気流により回転されるファンから得ることも可能である。
【００１２】
吸込口６から吸引された塵埃を含む空気は、吸込口体２の内部を通過して接続管５の流出口９から図示しない延長管に流入していくようガイド壁１４が設けられている。また吸込口体２は、下ケース４の下方両側に設けた図示しない複数の車輪により床面等を移動可能となっている。なお、この車輪は、吸込口体２に設ける必然性はない。
【００１３】
次に図３から図５により、回転清掃体１の構成について説明する。回転清掃体１は、その両端に嵌合する回転軸で軸支されたプラスチックやアルミニウムなどの軽金属からなるからなる中空円筒状の回転体１０を有している。この回転体１０には外周面から中心部に向かって貫通した孔となっている多数の貫通孔１１が設けられ、この貫通孔１１の外周面における配列は、回転体１０の回転中心軸１２に対し平行としたり、回転中心軸１２に対し複数の傾斜角度を有して複数種類の螺旋状の軌跡が得られるように等しいピッチで縦横斜めが規則正しく配置されている。この回転体１０は、中空体の筒状であれば円筒に限らず角筒などとすることができる。また貫通孔１１は、円形に限らず角形、スリット状または網目状とすることも可能である。
【００１４】
回転体１０の外周面に螺旋状に固定される複数本の清掃体１５は、天然ゴムや軟質のプラスチック等の弾性変形が可能な素材からなる基台１６と、この基台１６の上面に接着剤等で固着される基布１７に密集して植設された清掃部である繊維状のブラシ１８と、基台１６の下面に一定のピッチで一体的に設けられた複数の突出部１９とから構成されている。この各突出部１９は、それぞれ回転体１０の各貫通孔１１の内径と同一の外径を有して一列に配置されている。清掃体１５の取付時における突出部１９は、回転体１０の外周面から貫通孔１１に挿入していき、突出部１９の周囲にあって基台１６の一部でもある係止部１３が回転体１０の外周に密着した状態で嵌合する。
【００１５】
突出部１９は、基台１６の下面に予めより多くの本数を設けておけば、選択した螺旋状の軌跡に位置する貫通孔１１のピッチに合わない突出部１９があったとしても、これを適当なカッターにより除去することにより、回転体１０の外周面に有する多数の螺旋状の軌跡の中から、より多くの選択的な軌跡に清掃体１５を取付けることができる。
【００１６】
図５により、清掃体１５における突出部１９の各種形状、および回転体１０との結合状態を説明する。ａは、突出部１９が貫通孔１１を貫通する長さを有して基台１６の下面から円柱状に突出したものであり、ｂに示すように回転体１０の貫通孔１１と嵌合し、圧入状態または必要性により用いる接着剤で固定されている。この場合、貫通孔１１から回転体１０の中心部に突出した突出部１９の先端を、適宜な加熱手段で軟化変形または溶着して堅固に固定することもできる。
【００１７】
ｃは、突出部１９の先端部が一部外方に湾曲して三又のバネ部となっており、回転体１０の貫通孔１１に押込むことによりバネ部が圧縮して貫通孔１１を通過し、その後バネ部が元に復帰することで、ｄに示すように回転体１０に清掃体１５の基台１６が固定される。ｅは、突出部１９の先端部が横方向の突起を有しており、先端から貫通孔１１に押込むことにより変形し回転体１０に対しｆに示すようになって清掃体１５の基台１６が固定される。なお、これらの固定手段は、使用状態で離脱しない程度に着脱可能な嵌合状態となる寸法や手段とすることができる。
【００１８】
図６は、清掃体１５の他の実施例を示すもので、ブラシ１８を複数の基布１７にそれぞれ植設し、これらを突出部１９が設けられた基台１６の上面に所定の間隔２０を置いて直線的に並べて接着固定したものである。この複数の基布１７およびブラシ１８は、まず１本に細長く形成されたブラシ１８および基布１７を作り、後にこれを適当な長さに切り離して使用することができる。図７は、ゴムまたは軟質のプラスチックによりＴ字状に成形された清掃部であるブレード２１を、基台１６の上面に間隔２０を有して直線的に複数個並べ接着固定したものである。このブレード２１も、長尺状に製造したものを、適当な長さに切断して並べることができる。
【００１９】
図８は、回転体１０に清掃体１５を取付ける際の工程の一部を示すもので、ブラシ１８が植設された基布１７よりも幅広のフランジ部２２を基台１６に設け、ブラシ１８を跨ぐようなコ字状の治具２３を用いて、この治具２３の上方からフランジ部２２を押し付けることにより、突出部１９を貫通孔１１に圧入して両者を固定するものである。図９は、幅広のフランジ部２２を有する基台１６を回転体１０に取付けられた状態を示している。この場合のフランジ部２２の係止部１３は、回転体１０の外周面に密着するようにほぼ円弧状に成形されていることにより、塵埃が貫通孔１１や回転軸１０の中空部に進入することを防ぐことができる。
【００２０】
図１０から図１３は、清掃体１５の突出部１９を回転体１０の貫通孔１１に色々のパターンで挿入して清掃体１５を取付けた状態を示している。まず図１０は、回転体１０の回転中心軸１２とそれぞれ平行になるとともに、外周に角度が９０度変位して清掃部であるブラシ１８またはブレード２１を備えた清掃体１５が２本ずつ交互に固定した事例を示すものである。
【００２１】
図１１は、回転体１０の外周に４本の軟質な板状プラスチックからなるブレード２１が、螺旋状に等間隔で取付けられたものである。この場合全くフランジ部２２を有していないブレード２１は、その下端部が基台１６となってその数個所に一体的に設けた図示していない突出部１９が、回転体１０の貫通孔１１に圧入され固定されている。
【００２２】
また、図１２に示すように、清掃部であるブラシ１８またはブレード２１を備えた基台１６を、予め被清掃面にとって最適な形状に製造し、その形状に適合する位置にある回転体１０の貫通孔１１に基台１６の突出部１９を圧入などの手段により清掃体１５を固定することができる。
【００２３】
さらに、清掃部であるブラシ１８またはブレード２１を備えた清掃体１５を複数個に分割し、それぞれを被清掃面にとって望ましい配置となるような回転体１０の外周に設けた貫通孔１１に挿入して固定することが考えられる。図１３のＡおよびＢは、分割して回転体１０の外周に設けた清掃体１５の配置例を示している。このように、清掃体１５を複数個に分割してそれぞれの位置に取付ける以外に、１本の長い清掃体１５を回転体１０の外周面に螺旋状に２〜３周させて取付けることもできる。
【００２４】
次に、上述した回転清掃体１が取付けられた電気掃除機の吸込口体２の作用について説明する。図示しない電気掃除機を駆動して延長管を移動させることにより、この延長管に接続された吸込口体２の吸込口６から、被清掃面である床面等に浮遊する塵埃を含む空気の吸引を開始する。このとき、モータ７も同時に駆動されることからタイミングベルト８を介して回転清掃体１が回転し、その外周に設けられた清掃体１５の清掃部であるブラシ１８またはブレード２１は、被清掃面から塵埃の掻き揚げを行うとともに塵埃の吸引を促進する。
【００２５】
この状態で使用者は、吸込口体２を前後左右に移動させることにより、被清掃面全体を順次清掃することができる。一定期間使用された回転清掃体は、新規なものに交換するか、回転清掃体から清掃体のみを取り外して更新することができる。されらに、清掃体１５を回転体１０から着脱可能にしておくことにより、使用者がその被清掃面に最適な清掃体１５と交換したり、回転体１０の外周面における取付け位置を変えることもできる。
【００２６】
上記実施例により、回転清掃体１を電気掃除機の吸込口体２に取付けて使用した事例を説明したが、この回転清掃体１は、手動式掃除機に装着して被清掃面に浮遊する塵埃を集めるのに使用することもできる。
【００２７】
【発明の効果】
以上説明してきたように、ブラシなどの清掃部を備えた清掃体を容易に取付け可能にした回転清掃体、およびこれを用いた電気掃除機の吸込口体を得ることができる。
【図面の簡単な説明】
【図１】本発明の１実施例を示す回転清掃体が組込まれ、上カバーを取り外した状態の吸込口体の斜視図である。
【図２】図１に示した吸込口体の縦断面図である。
【図３】図１に示した回転清掃体に有する回転体の斜視図である。
【図４】図１に示した回転清掃体に有する清掃体の斜視図である。
【図５】図４の清掃体の側面図および回転体と清掃体の取付状態を示す断面図である。
【図６】本発明の回転清掃体に用いる清掃体の第２の実施例を示す斜視図である。
【図７】本発明の回転清掃体に用いる清掃体の第３の実施例を示す斜視図である。
【図８】本発明の回転清掃体に用いる第４の実施例の清掃体を取付ける状態を示す斜視図である。
【図９】本発明の回転清掃体に用いる第５の実施例の清掃体を回転体に取付けた状態を示す断面図である。
【図１０】本発明の第６の実施例の清掃体を取付けた回転清掃体を示す斜視図である。
【図１１】本発明の第７の実施例の清掃体を取付けた回転清掃体を示す斜視図である。
【図１２】本発明の第８の実施例の清掃体を取付けた回転清掃体を示す斜視図である。
【図１３】本発明の第９の実施例の清掃体を取付けた回転清掃体を示す説明図である。
【図１４】従来の回転清掃体を示す分解平面図である。
【図１５】従来の他の回転清掃体を示す斜視図および断面図である。
【符号の説明】
１  …  回転清掃体
２  …  吸込口体
６  …  吸込口
１０  …  回転体
１１  …  貫通孔
１５  …  清掃体
１６  …  基台
１８  …  ブラシ（清掃部）
１９  …  突出部
２１  …  ブレード（清掃部）
【図１】
2005046229.tif 000003
【図２】
2005046229.tif 000004
【図３】
2005046229.tif 000005
【図４】
2005046229.tif 000006
【図５】
2005046229.tif 000007
【図６】
2005046229.tif 000008
【図７】
2005046229.tif 000009
【図８】
2005046229.tif 000010
【図９】
2005046229.tif 000011
【図１０】
2005046229.tif 000012
【図１１】
2005046229.tif 000013
【図１２】
2005046229.tif 000014
【図１３】
2005046229.tif 000015
【図１４】
2005046229.tif 000016
【図１５】
2005046229.tif 000017